(57)【要約】【課題】音楽情報にイントロ曲や挿入曲が含まれている場合に、所定の操作を行わないでも、これらの曲を排除した音楽情報をランダムに再生することが可能な「オーディオ装置及びオーディオ再生方法」を提供する。【解決手段】記録媒体に記録される圧縮音声ファイルの曲情報をランダムに再生するオーディオ再生方法であって、前記圧縮音声ファイルは前記曲情報に関連する文字情報を所定の領域に有し、前記文字情報と所定の文字情報とが一致した場合に、再生される前記曲情報をスキップさせるステップＳ１０２を有することを特徴とする。また、前記曲情報の再生時間が所定の時間以下である場合、再生される前記曲情報をさらにスキップさせるステップＳ１０４を有することを特徴とする。【選択図】図４
2008004217.tif 000002
【特許請求の範囲】
【請求項１】
記録媒体に記録される音楽情報の曲情報をランダムに再生する機能を有するオーディオ装置であって、
前記音楽情報は前記曲情報に関連する文字情報を所定の領域に有し、
前記文字情報と所定の文字情報とが一致した場合に、再生される前記曲情報をスキップするランダム再生部を有することを特徴とする、オーディオ装置。
【請求項２】
記録媒体に記録される圧縮音声ファイルの曲情報をランダムに再生する機能を有するオーディオ装置であって、
前記圧縮音声ファイルは前記曲情報に関連する文字情報を所定の領域に有し、
前記文字情報と所定の文字情報とが一致した場合に、再生される前記曲情報をスキップするランダム再生部を有することを特徴とする、オーディオ装置。
【請求項３】
前記ランダム再生部は、前記曲情報の再生時間が所定の時間以下である場合に、再生される前記曲情報をさらにスキップすることを特徴とする、請求項１または２に記載のオーディオ装置。
【請求項４】
前記所定の時間を指定する操作部を有することを特徴とする、請求項３に記載のオーディオ装置。
【請求項５】
記録媒体に記録される音楽情報の曲情報をランダムに再生するオーディオ再生方法であって、
前記音楽情報は前記曲情報に関連する文字情報を所定の領域に有し、
前記文字情報と所定の文字情報とが一致した場合に、再生される前記曲情報をスキップさせるステップを有することを特徴とするオーディオ再生方法。
【請求項６】
記録媒体に記録される圧縮音声ファイルの曲情報をランダムに再生するオーディオ再生方法であって、
前記圧縮音声ファイルは前記曲情報に関連する文字情報を所定の領域に有し、
前記文字情報と所定の文字情報とが一致した場合に、再生される前記曲情報をスキップさせるステップを有することを特徴とするオーディオ再生方法。
【請求項７】
前記曲情報の再生時間が所定の時間以下である場合、再生される前記曲情報をさらにスキップさせるステップを有することを特徴とする、請求項５または６に記載のオーディオ再生方法。
【発明の詳細な説明】
【技術分野】
【０００１】
本発明はオーディオ装置に関し、特に、音楽アルバムの楽曲をランダムに再生する機能を有するオーディオ装置に関する。
【背景技術】
【０００２】
ＣＤ（Compact Disc）やＨＤ(Hard Disc)等の記録媒体に記録された音楽情報やＭＰ３ファイル等の圧縮音声ファイルがオーディオ装置にて再生される場合、一般に、予め決められた順番に再生される。これに対し、予め決められた順番に音楽情報が再生されずに、無作為に選曲された順番で音楽情報が再生される機能（以下、ランダム再生機能という。）を有するオーディオ装置が知られている。
【０００３】
ユーザは、このようなランダム再生機能を使用して上述した音楽情報等を再生することで、毎回同一の順番で再生することによって聞き飽きてしまうというデメリットを回避し、新鮮味を保つことができるというメリットを有する。
【０００４】
例えば、特許文献１には、上述したランダム再生機能を有するオーディオ装置の発明が開示されている。特許文献１によれば、クラシック音楽等で複数のパート（楽章）により１つの音楽情報が構成されている場合に、各パートが１つの音楽情報とみなされ、ランダムに再生されてしまうという問題点を回避するために、操作部を介して指定された音楽情報に対しては予めグループ化してオーディオ装置に記憶させ、当該音楽情報が再生される際には、グループ化した音楽情報を再生させるようにするようにしている。
【特許文献１】特開２００５−４４４１８号公報
【発明の開示】
【発明が解決しようとする課題】
【０００５】
ここで、ユーザが再生しようとする音楽情報等には、例えば、音楽情報等が再生される前の出出しの曲（以下、イントロ曲という。）や、音楽アルバム全体のストーリー性を加味するために曲と曲との間に使用される楽曲（以下、挿入曲という。）も再生される。しかしながら、これらの曲は前後に再生される曲と関係させた構成になっていることが多く、イントロ曲や挿入曲が含まれる音楽情報等がランダム再生機能によって再生される場合、イントロ曲であれば、イントロ曲の次に再生されるべき曲とイントロ曲とが分離して再生されるという問題点があり、挿入曲であっても、ストーリー性が加味されて所定の順番で再生されるべきであるのに、やはり、前後の曲と分離して再生されるという問題点がある。
【０００６】
このような問題点に対し、特許文献１に開示される発明によってイントロ曲や挿入曲と関連した曲を予めグループ化した状態で、ランダム再生機能を使用して音楽情報を再生させることも可能であるが、ユーザによってはこのような操作に煩わしさを感じる者も多い。
【０００７】
本発明は上述した問題点に鑑みてなされたものであり、音楽情報や圧縮音声ファイル等にイントロ曲や挿入曲が含まれている場合に、所定の操作を行わないでも、これらの曲を排除した音楽情報等をランダムに再生することが可能なオーディオ装置を提供することを目的とする。
【課題を解決するための手段】
【０００８】
上記課題を解決するために、本発明のオーディオ装置は、記録媒体に記録される音楽情報の曲情報をランダムに再生する機能を有するオーディオ装置であって、前記音楽情報は前記曲情報に関連する文字情報を所定の領域に有し、前記文字情報と所定の文字情報とが一致した場合に、再生される前記曲情報をスキップするランダム再生部を有することを特徴とする。このような構成により、例えば記録媒体がＣＤであって、所定の領域がＣＤ−ＴＥＸＴ用領域である場合に、ＣＤ−ＴＥＸＴ用領域に記録された文字情報が所定の文字情報と一致した場合に、再生される曲情報をスキップすることができる。
【０００９】
また、本発明のオーディオ装置は、記録媒体に記録される圧縮音声ファイルの曲情報をランダムに再生する機能を有するオーディオ装置であって、前記圧縮音声ファイルは前記曲情報に関連する文字情報を所定の領域に有し、前記文字情報と所定の文字情報とが一致した場合に、再生される前記曲情報をスキップするランダム再生部を有することを特徴とする。このような構成により、例えば記録媒体がＨＤであって、所定の領域がＩＤ３タグ用領域である場合に、ＩＤ３タグ用領域に記録された文字情報が所定の文字情報と一致した場合に、再生される曲情報をスキップすることができる。
【００１０】
また、本発明のオーディオ装置は、前記ランダム再生部が、前記曲情報の再生時間が所定の時間以下である場合に、再生される前記曲情報をさらにスキップすることを特徴とする。このような構成により、記録された上記文字情報と所定の文字情報とが一致しない場合でも、再生される曲情報の時間が所定の時間、例えば２分、以内であれば、挿入曲等であると推定することで再生される曲情報をスキップすることができる。
【００１１】
また、本発明のオーディオ装置は、前記所定の時間を指定する操作部を有することを特徴とする。このような構成により、上記所定の時間をユーザの所望の時間に変更することができ、再生時間の長い曲情報と曲情報との間に所定の時間を超える挿入曲等が含まれていても、当該挿入曲をスキップして曲情報のみを抽出して再生することも可能である。
【００１２】
また、本発明のオーディオ再生方法は、記録媒体に記録される音楽情報の曲情報をランダムに再生するオーディオ再生方法であって、前記音楽情報は前記曲情報に関連する文字情報を所定の領域に有し、前記文字情報と所定の文字情報とが一致した場合に、再生される前記曲情報をスキップさせるステップを有することを特徴とする。このような方法により、例えば記録媒体がＣＤであって、所定の領域がＣＤ−ＴＥＸＴ用領域である場合に、ＣＤ−ＴＥＸＴ用領域に記録された文字情報が所定の文字情報と一致した場合に、再生される曲情報をスキップさせることができる。
【００１３】
また、本発明のオーディオ再生方法は、記録媒体に記録される圧縮音声ファイルの曲情報をランダムに再生するオーディオ再生方法であって、前記圧縮音声ファイルは前記曲情報に関連する文字情報を所定の領域に有し、前記文字情報と所定の文字情報とが一致した場合に、再生される前記曲情報をスキップさせるステップを有することを特徴とする。このような方法により、例えば記録媒体がＨＤであって、所定の領域がＩＤ３タグ用領域である場合に、ＩＤ３タグ用領域に記録された文字情報が所定の文字情報と一致した場合に、再生される曲情報をスキップさせることができる。
【００１４】
また、本発明のオーディオ再生方法は、前記曲情報の再生時間が所定の時間以下である場合、再生される前記曲情報をさらにスキップさせるステップを有することを特徴とする。このような方法により、記録された上記文字情報と所定の文字情報とが一致しない場合でも、再生される曲情報の時間が所定の時間、例えば２分、以内であれば、挿入曲等であると推定することで再生される曲情報をスキップさせることができる。
【発明の効果】
【００１５】
本発明のオーディオ装置またはオーディオ再生方法によれば、記録媒体に記録される音楽情報または圧縮音声ファイルの曲情報にイントロ曲や挿入曲等が含まれていても、所定の操作をせずに、当該イントロ曲等をスキップさせることができ、音楽アルバムの曲のみをユーザに提供することが可能となる。
【発明を実施するための最良の形態】
【００１６】
以下、本発明の実施の形態について、図面を参照して具体的に説明する。
【００１７】
図１は、本発明の実施形態にかかるオーディオ装置１００のブロック図である。図１において、オーディオ装置１００は、記録媒体１を駆動する駆動部３と、当該駆動部３に対しユーザが所望の操作を行う操作部５と、記録媒体１に記録される音楽情報または圧縮音声ファイルを記憶する記憶部７と、を有する。駆動部３は、光ピックアップ装置や当該光ピックアップ装置を駆動するモータ等により構成され、記録媒体１に光を照射し、記録媒体１からの反射光を検知器等で検知する機能を有する。
【００１８】
操作部５はボタンやタッチパネル等によって構成され、例えば、記録媒体１に対して再生、停止、録音、ランダム再生を行うか否か等を選択する機能を有する。赤外線を用いたリモコン操作なども可能である。また、記憶部７は、例えばＳＲＡＭ(Static Random Access Memory)やフラッシュメモリ等の半導体記憶装置によって構成される。なお、音楽情報または圧縮音声ファイルは一または複数の曲情報と、音楽情報または曲情報に関連する文字情報とを備え、文字情報には、例えば、アルバム名、曲名や演奏者（アーティスト）などが含まれる。
【００１９】
オーディオ装置１００は、さらに、記憶部７に記憶された曲情報を増幅する増幅部９及び増幅された曲情報を出力するスピーカ１１と、記憶部７に記憶された文字情報を出力する表示部１３と、を有する。表示部１３は例えば液晶ディスプレイによって構成される。そして、上述した駆動部３、操作部５、記憶部７、増幅部９、表示部１３は、すべて制御部１５によって制御される。制御部１５は、ＣＰＵ等の処理装置あるいはそこで実行されるプログラム等により実現され、各機能ブロックは、制御部１５によって機能する。
【００２０】
さらに、制御部１５はランダム再生部１７を制御する。ランダム再生部１７は、乱数を使用したプログラムに基づいて音楽情報または圧縮音声ファイルの曲情報に対し再生される順番を無作為に入れ替える機能を有し、さらに、所定の場合にはイントロ曲や挿入曲をスキップする（再生処理から外す）機能を有する。
【００２１】
このように構成されたオーディオ装置１００に対し、ユーザがＣＤ等の記録媒体１から音楽情報を取り込む（リッピングする）場合、まず、記録媒体１が駆動部３よって駆動され、記録媒体１に記録される音楽情報が検知され、制御部１５によって記憶部７に記憶される。
【００２２】
記憶部７に記憶された音楽情報、詳細にはＴＯＣ（Table of contents）情報に基づき、制御部１５はインターネットを介してＣＤＤＢ（Compact Disk Database）にアクセスし、圧縮音声ファイル、例えばＭＰ３（Mpeg Audio Layer-3）ファイルを作成するための文字情報（アルバム名、アーティスト名、曲名等）をダウンロードする。ユーザは当該文字情報と音楽情報の曲情報とに不一致がないことを確認できた場合、オーディオ装置１００の操作部５に対し圧縮音声ファイルの作成を許可する旨を指示することで、圧縮音声ファイルが作成される。
【００２３】
なお、ＣＤＤＢとはＣＤに記録された曲情報に関する情報、例えば、アルバム名、アーティスト名、曲名等をＣＤの再生ソフトや周辺機器へ提供するためにインターネット上に開放されたデータベースをいう。ＣＤＤＢにアクセスして曲情報に関する情報をダウンロードすることで、ユーザは圧縮音声ファイルの曲情報に関する上記情報を１つ１つ手入力する手間を省くことができる。
【００２４】
圧縮音声ファイルを例えばランダム再生を行わずに再生する場合、ユーザはオーディオ装置１００の操作部５に対しその旨の操作を施す。これによって、圧縮音声ファイルの曲情報がその記録された順番に増幅部９を介してスピーカ１１から出力され、また、圧縮音声ファイルの文字情報が出力される曲情報と同期して表示部１３によって表示される。曲情報が終了した場合、または、ユーザが停止する旨の操作をした場合には、オーディオ装置１００は曲情報の再生を停止する。
【００２５】
さらに、ランダム再生を行って圧縮音声ファイルを再生させる場合には、記憶部７に記憶されるまでは、上述した処理と同様の処理が行われるが、記憶部７に記憶された圧縮音声ファイルの曲情報はランダム再生部１７によって１つの曲情報が無作為に選択される。そして、当該曲情報にイントロ曲や挿入曲であることを示す所定の文字情報が含まれていない等の場合には、増幅部９を介してスピーカ１１から出力され、また、圧縮音声ファイルの文字情報が出力される曲情報と同期して表示部１３によって表示されるが、当該曲情報に所定の文字情報が含まれている等の場合には、当該曲情報はスピーカ１１から出力されず、また、当該曲情報に関連する文字情報も表示部１３から出力されないことになる。なお、上述した動作は圧縮音声ファイルの曲情報に限られず、ＣＤに記録される曲情報についても同様である。
【００２６】
上述したイントロ曲や挿入曲の再生を行うか否かの判定は、具体的には、ＣＤのＣＤ−ＴＥＸＴ用領域やＭＰ３ファイルのＩＤ３タグ領域に記録される文字情報（コード）や曲情報の再生時間によって判定される。
【００２７】
これらの領域について図面を参照して簡単に説明する。図２はＣＤ−ＴＥＸＴ用領域を説明するための図であり、図３はＭＰ３ファイルのフォーマットを示す図である。図２に示すように、記録媒体１の一態様であるＣＤは、所定のフォーマットを有する。ＣＤは内周から外周に向かってＴＯＣ情報が記録されるリードイン領域１９と、曲情報が記録されるデータ領域２１と、データ領域２１の終了を示す領域であるリードアウト領域２３とから構成される。
【００２８】
ＣＤ−ＴＥＸＴ用領域はリードイン領域１９に存在するものであり、その構成はタイトル(Title)、演奏者(Performer)、作詞(Songwriter)、作曲(Composer)、編曲(Arranger)、メッセージ(Message)等の文字情報を記録するための領域であり、最大８カ国の言語に対応可能である。また、図３に示すように、ＩＤ３タグ領域は、ＭＰ３ファイルに確保される領域であって、タイトル(Title)、アーティスト(Artist)、アルバム名(Album)、製作年度(Year)、曲のジャンル(Genre)、コメント(Comment)等の文字情報を保存する領域である。
【００２９】
したがって、これらの領域に所定の文字情報が記録されていた場合にイントロ曲や挿入曲が含まれているか否かが判定可能となる。例えば、文字情報であれば、当該文字情報に“opening”、“ending”、“intro”、“Instrumental”、“prologue”、“epilogue”等の文字情報が含まれている場合には、当該曲情報はイントロ曲または挿入曲であると判定される。
【００３０】
また、曲情報に含まれる再生時間が、所定の時間、例えば２分、以内であれば、当該曲情報はイントロ曲または挿入曲であると判定される。これは、イントロ曲や挿入曲の再生時間が２分以内であることが多く、再生時間が２分を超える場合にはイントロ曲や挿入曲でなく、３〜５分で再生が終了する通常の曲情報であると推定することによるものである。当該所定の時間はユーザによって指定可能としてもよい。これによって２分を超える長い挿入曲を有する音楽情報を再生させる場合でも、確実に挿入曲をスキップすることが可能となる。
【００３１】
次に、ランダム再生部１７の動作について図４に示すフローチャートを参照して説明する。
【００３２】
ユーザによってランダム再生機能が使用されるように操作部５が操作され、記録媒体１またはＭＰ３ファイルが再生されると、図４に示すように、ランダム再生部１７によって、これらに含まれる複数の曲情報のうち、再生しようとする１つの曲情報が選択され（Ｓ１０１）、当該曲情報は、オーディオ装置１００の記憶部７に記憶される。記憶された曲情報に含まれる文字情報のうち、上述した“opening”、“ending”、“intro”、“Instrumental”、“prologue”、“epilogue”等の文字情報がＩＤ３タグ領域に含まれている場合には（Ｓ１０２；Ｙｅｓ）、再生される音楽情報のうち、当該曲情報を除く音楽情報に対し、再度、ランダム再生部によって曲情報が選択される（Ｓ１０１）。
【００３３】
上述した文字情報が含まれていない場合には（Ｓ１０２；Ｎｏ）、次に、記憶された曲情報に含まれる文字情報のうち、上述した“opening”、“ending”、“intro”、“Instrumental”、“prologue”、“epilogue”等の文字情報がＣＤ−ＴＥＸＴ用領域に含まれているか否か判定する（Ｓ１０３）。これらの文字情報が含まれている場合には（Ｓ１０３；Ｙｅｓ）、再生される音楽情報のうち、当該曲情報を除く音楽情報に対し、再度、ランダム再生部によって曲情報が選択される（Ｓ１０１）。
【００３４】
これらの文字情報が含まれていない場合には（Ｓ１０３；Ｎｏ）、さらに、選択された曲情報に含まれる再生時間の情報が２分以内であるか否かを判定する（Ｓ１０４）。再生時間の情報が２分以内である場合には（Ｓ１０４；Ｙｅｓ）、再生される音楽情報のうち、当該曲情報を除く音楽情報に対し、再度、ランダム再生部によって曲情報が選択される（Ｓ１０１）。
【００３５】
選択された曲情報に含まれる再生時間の情報が２分以内でない場合（Ｓ１０４；Ｎｏ）、選択された曲情報を再生する（Ｓ１０５）。そして、選択された曲情報の再生が終了すると、音楽情報に含まれるすべての曲情報の再生が終了したか否かを判定する（Ｓ１０６）。音楽情報の中で、未再生の曲情報がある場合には（Ｓ１０６；Ｎｏ）、再度、ランダム再生部によって曲情報が選択され（Ｓ１０１）、そうでない場合には（Ｓ１０６；Ｙｅｓ）、オーディオ再生を終了する。
【００３６】
このようなランダム再生部１７の処理を施すことによって、イントロ曲や挿入曲といった次曲を期待させる曲情報をスキップすることが可能となり、音楽アルバム用にアレンジされていない曲そのものを楽しみたいユーザにとっては非常に好適である。
【００３７】
なお、本発明は、上述した実施形態に限定されるものではなく、その要旨を逸脱しない範囲内で種々変形して実施することが可能である。例えば、１つの曲情報が２分より長いイントロ曲等を再生させないようにするために、判定の基準となる「２分」を長く設定することも可能であり、さらには、その判定基準となる時間を決定できる機能を操作部５に設け、記録媒体１に記録される音楽情報に合わせてユーザに選定させることも可能である。このような機能を操作部５に設けることで、例えば、再生時間の長い曲情報と曲情報との間に歌手による長いトークが含まれていても、曲情報のみを抽出して再生させることも可能である。
【産業上の利用可能性】
【００３８】
以上、説明したように、本発明に係るオーディオ装置またはオーディオ再生方法は、記録媒体に記録される音楽情報または圧縮音声ファイルの曲情報にイントロ曲や挿入曲等が含まれていても、所定の操作をせずに、当該イントロ曲等をスキップすることができ、産業上の利用可能性が高い。
【図面の簡単な説明】
【００３９】
【図１】図１は、オーディオ装置のブロック図である。
【図２】図２は、ＣＤ−ＴＥＸＴ用領域を説明するための図である。
【図３】図３は、ＭＰ３ファイルのフォーマットを示す図である。
【図４】図４は、ランダム再生部の動作を示すフローチャートである。
【符号の説明】
【００４０】
１  記録媒体
３  駆動部
５  操作部
７  記憶部
９  増幅部
１１  スピーカ
１３  表示部
１５  制御部
１７  ランダム再生部
１９  リードイン領域
２１  データ領域
２３  リードアウト領域
１００  オーディオ装置
【図１】
2008004217.tif 000003
【図２】
2008004217.tif 000004
【図３】
2008004217.tif 000005
【図４】
2008004217.tif 000006